(57)【要約】【課題】  パソコンなどの機器が社員によって不正使用されることを予防又は防止できるように管理することができる使用権限情報更新システムを提供する。【解決手段】  監視エリア内にある装置の使用許可を、情報記憶媒体を使用して行い、複数の情報記憶媒体が存在する際に、最も上位の使用権限を有する使用権限情報を共通して使用できるようにしたシステムで、所定の監視エリア内に対して所定時間間隔毎に無線信号を送信すると共に、前記無線信号に対する応答信号を受信する送受信手段と、所定時間内に応答した前記応答信号の中で、最も上位の使用権限を有する使用権限情報を送信させる手段とを有するノードと、情報記憶媒体毎に読み取り専用の使用権限情報が記憶されている固定使用権限情報記憶エリアと、前記ノードから受信した使用権限情報に更新させて記憶させる可変使用権限情報記憶エリアとを有する記憶手段とを有する情報記憶媒体と、からなる。【選択図】        図１
2008234247.tif 000002
【特許請求の範囲】
【請求項１】
所定の監視エリア内に設置されている装置の使用許可を、情報記憶媒体に記憶されている使用権限情報に基づいて行なう場合において、その監視エリア内に複数の情報記憶媒体が存在する際に、その複数の情報記憶媒体の中で最も上位の使用権限を有する使用権限情報を共通して使用できるように切り替えることができる使用権限情報更新システムであって、
所定の監視エリア内に対して所定時間間隔毎に無線信号を送信すると共に、前記無線信号に対する応答信号を受信する送受信手段と、所定時間内に応答した前記応答信号の中で、最も上位の使用権限を有する使用権限情報を送信させる手段とを有するノードと、
情報記憶媒体毎に読み取り専用の使用権限情報が記憶されている固定使用権限情報記憶エリアと、前記ノードから受信した使用権限情報に更新させて記憶させる可変使用権限情報記憶エリアとを有する記憶手段とを有する情報記憶媒体と、
からなることを特徴とする使用権限情報更新システム。
【発明の詳細な説明】
【技術分野】
【０００１】
本発明は、所定の監視エリア内に設置されている装置の使用許可を、情報記憶媒体に記憶されている使用権限情報に基づいて行なう場合において、その監視エリア内に複数の情報記憶媒体が存在する際に、その複数の情報記憶媒体の中で最も強い上位の使用権限を有する使用権限情報を一時的に共通して使用できるように切り替えることができる使用権限情報更新システムに関する。
【背景技術】
【０００２】
従来、使用権限を有していない第三者により、パソコンなどの機器が不正使用されることを防止するシステムが知られている。（例えば、特許文献１参照）
しかしながら、従来の不正使用防止に関するシステムの多くは、社員などの内部の人間による内部犯罪を防止するものではなく、外部から不正に侵入した第三者による犯罪防止を想定している場合が多く、特に社員などの内部の人間によって、秘密性の高い情報が不正に持ち出されることを予防又は防止しにくいという問題がある。
【０００３】
【特許文献１】特開２００５−１００３５９号公報
【発明の開示】
【発明が解決しようとする課題】
【０００４】
そこで、本発明は、パソコンなどの機器が社員によって不正使用されることを予防又は防止できるように管理することができる使用権限情報更新システムを提供する。
【課題を解決するための手段】
【０００５】
本発明の使用権限情報更新システムは、所定の監視エリア内に設置されている装置の使用許可を、情報記憶媒体に記憶されている使用権限情報に基づいて行なう場合において、その監視エリア内に複数の情報記憶媒体が存在する際に、その複数の情報記憶媒体の中で最も上位の使用権限を有する使用権限情報を共通して使用できるように切り替えることができる使用権限情報更新システムであって、所定の監視エリア内に対して所定時間間隔毎に無線信号を送信すると共に、前記無線信号に対する応答信号を受信する送受信手段と、所定時間内に応答した前記応答信号の中で、最も上位の使用権限を有する使用権限情報を送信させる手段とを有するノードと、情報記憶媒体毎に読み取り専用の使用権限情報が記憶されている固定使用権限情報記憶エリアと、前記ノードから受信した使用権限情報に更新させて記憶させる可変使用権限情報記憶エリアとを有する記憶手段とを有する情報記憶媒体と、からなることを特徴とする。
【発明の効果】
【０００６】
本発明の使用権限情報更新システムは、所定の監視エリア内に設置されている装置の使用について、管理職などのように、装置の使用権限が高い者が存在する場合にだけ、一時的に一般社員の使用権限を上位の使用権限に拡大することができ、また、その高い使用権限を有する者がその場所からいなくなった場合には、予め一般社員に与えられている本来の使用権限の範囲内による装置の使用に切り替えて制限することができるので、パソコンなどの機器が社員によって不正使用されることを予防又は防止できるという効果がある。
【発明を実施するための最良の形態】
【０００７】
以下、本発明の実施形態に係る使用権限情報更新システムを、図面に基づいて詳細に説明する。
図１及び図２は、本発明の実施形態に係る使用権限情報更新システムの概要を説明する図、図３は、本発明の実施形態に係る使用権限情報更新システムのシステム構成図、図４は、本発明の実施形態に係る使用権限情報更新システムで使用する情報記憶媒体の記憶手段を説明する図、図５は、本発明の実施形態に係る使用権限情報更新システムに係り、ノードと情報記憶媒体との間での情報の読取、書込を説明する図、図６は、本発明の実施形態に係る使用権限情報更新システムの処理手順を示すフローチャート図である。
【０００８】
まず、本発明の実施形態に係る使用権限情報更新システムを図面に基づいて説明する。
図１に示すように、部屋内に入室する権限を有する社員１には、予め社員証などとして情報記憶媒体２が発行され、社員１は、仕事中、常時この情報記憶媒体２を携帯する。
また、情報記憶媒体２には、図４に示すように、情報記憶媒体毎に異なる固有情報として、読み取り専用の使用権限情報が記憶されている固定使用権限情報記憶エリア３ａと、更に、天井などに備えられたノード４から送信された使用権限情報を受信し、その受信した使用権限情報に基づいて随時に更新可能として記憶させるための可変使用権限情報記憶エリア３ｂとを有する記憶手段３が備えられている。
【０００９】
図４には、固定使用権限情報記憶エリア３ａとして、個々の社員に与えられている本来の権限フィールドとして権限ＩＤのＸが記憶され、更に、可変使用権限情報記憶エリア３ｂとして、カレント権限フィールドとして権限ＩＤのＹが記憶されている場合が示されている。
この状態にある情報記憶媒体２では、本来の使用権限がＸの権限であるものの、実際には、使用権限Ｙに基づいて、機器を使用する権限が与えられる。
つまり、可変使用権限情報記憶エリア３ｂに記憶される使用権限情報が優先されることになっており、可変使用権限情報記憶エリア３ｂに記憶される使用権限情報は、その場所に存在する人間に応じて書き換えられる。
【００１０】
ここで、より強い上位の使用権限とは、例えば、本来の権限フィールドとして権限ＩＤがＸの場合には、自身が使用するパソコンだけの使用が許可され、プリンタの使用まで許可されていない場合であっても、カレント権限フィールドとして権限ＩＤのＹが記憶されることにより、例えばプリンタの使用権限も付加されて本来の使用権限よりも使用範囲の広い権限を一時的に与えることができるようになっている。
この場合、例えばノード４の監視エリア内に一般社員が１人だけいる場合には、パソコンだけの使用を許可し、プリンタの使用権限を与えないことで、その社員がパソコンで入手した情報をプリンタで出力できないように制限して、不正にコピーした文書を外部に持ち出せないように管理できる。
また、その後に管理職である上長の課長がその場所に在席した場合には、その課長に与えられている本来の使用権限と同じ使用権限を、その社員に対しても与えることで、プリンタの使用を行える状態に許可することで、部下である社員がプリンタも使用して仕事を行えるようにすると共に、社員の不正な行動に対しても上長が管理できるようにしてある。
つまり、一般社員は、自分を管理する立場にある課長が在席していることで、簡単に不正が行えない状態となり、内部犯罪などの不正行為の予防や防止を図れるという効果がある。
【００１１】
また、情報記憶媒体２に認証用情報を記憶させておき、部屋内に入室する際に、情報記憶媒体２に記憶されている認証用情報に基づく認証処理を行い、認証が受けられたことを条件に入室できるように入室管理を行うようにしておくことが好ましい。
【００１２】
また、部屋内には、パソコンやプリンタなどの複数の装置５が設置されており、これらの装置５にも情報記憶媒体２に記憶されている使用権限情報を読み取る読取装置６が備えられている。
そして、社員１が装置５を使用する場合には、読取装置６で情報記憶媒体２から読み取った使用権限情報に基づいて、使用権限の有無を検証して、使用権限を有すると判定されたときに装置５の作動を行なえるように使用管理がされている。
【００１３】
また、部屋内には、天井の所定箇所に無線デバイスのノード７が設置されており、ノード７から送信される無線信号が受信可能な監視エリア８内に存在する情報記憶媒体２と通信を行い、情報記憶媒体２の固定使用権限情報記憶エリア３ａに記憶されている使用権限情報の読み取りを行うと共に、必要に応じて、可変使用権限情報記憶エリア３ｂへの使用権限情報の書き込みを行う機能を有している。
【００１４】
ノード７は、一定時間間隔、例えば１０秒毎に無線信号を監視エリア６内に送信して、監視エリア８内に存在している全ての情報記憶媒体２から、各々の固定使用権限情報記憶エリア３ａ記憶されている使用権限情報の読み取りを行い、読み取った全ての使用権限情報の中で最も上位の使用権限を有する使用権限情報を選択し、その選択された使用権限情報を無線信号として送信して、監視エリア６内に存在する全ての情報記憶媒体２の可変使用権限情報記憶エリア３ｂに対して、選択された使用権限情報を書き込んで記憶させる。
情報記憶媒体２の可変使用権限情報記憶エリア３ｂに既に使用権限情報が記憶されている場合には、受信した最新の使用権限情報を更新させて記憶させる。
【００１５】
図２には、ノード７から送信される無線信号が受信可能な監視エリア８内に、社員１と課長１１とが存在している場合が示されている。
この場合において、課長１が所持する情報記憶媒体１２の固定使用権限情報記憶エリア３ａに記憶されている使用権限情報は、社員１が所持する情報記憶媒体２の固定使用権限情報記憶エリア３ａに記憶されている使用権限情報よりも上位の使用権限を有する使用権限情報が記憶されているとする。
つまり、課長１の使用権限情報として、プリンタを使用する権限を有しているとする。
上記の場合には、ノード７により情報記憶媒体２と情報記憶媒体１２とから固定使用権限情報記憶エリア３ａに記憶されている使用権限情報の読み取りを行い、上位の使用権限を有する使用権限情報を情報記憶媒体２に送信して、情報記憶媒体２の可変使用権限情報記憶エリア３ｂに上位の使用権限情報を書き込んで記憶させることで、その後、社員１は、自身が所持する情報記憶媒体２を使用してプリンタの使用ができる状態に切り替えられるようにしてある。
尚、情報記憶媒体２と情報記憶媒体１２とは、同じ構成を有している情報記憶媒体である。
【００１６】
しかしながら、課長１が外出などして監視エリア８外に出た場合には、監視エリア８内には、社員１が１人となり、上位の使用権限を有する使用権限情報が、社員１が所持する情報記憶媒体２の固定使用権限情報記憶エリア３ａに記憶されている使用権限情報となるために、ノード７から情報記憶媒体２に対して、その使用権限情報が送信されて、社員１が所持する情報記憶媒体２の可変使用権限情報記憶エリア３ｂに、固定使用権限情報記憶エリア３ａに記憶されているのと同じ使用権限情報か書き込まれて更新される。
この場合には、社員１はプリンタを使用できない状態となり、本来権限が与えられているパソコンだけが使用できる状態に戻ることになる。
【００１７】
次に、図３に基づいて、本発明の実施形態に係る使用権限情報更新システムのシステム構成を説明する。
まず、情報記憶媒体２には、無線送受信手段１３、記憶手段３、可変使用権限情報書換手段１４などが備えられている。
また、ノード７には、無線送受信手段１５、記憶手段１６、使用権限情報送信指示手段１７、使用権限情報書換判定手段１８、などが備えられている。
ノード７の無線送受信手段１５により所定間隔で送信される無線信号が受信可能な監視エリア８は限られているが、その監視エリア８内に存在する全ての情報記憶媒体は、ノード７から送信される無線信号を受信することで、ノード７が個々の情報記憶媒体の固定使用権限情報記憶エリア３ａに記憶されている使用権限情報の読み取りを行うことができる。
【００１８】
また、ノード７の使用権限情報書換判定手段１８は、情報記憶媒体から読み取られた全ての使用権限情報が同じレベルである場合には、その同じレベルの使用権限情報を選択し、書換え処理を実行させることで、上位となる使用権限情報を有する者がその場から離れた場合には、装置の使用を再度制限できるようにしてある。
また、上位となる使用権限情報を有する者が存在する場合には、使用権限情報送信指示手段１７により選択された上位となる使用権限情報を送信させるための指示信号を無線送受信手段１５に送ることで、監視エリア８内に存在する全ての情報記憶媒体の可変使用権限情報記憶エリア３ｂに、その上位となる使用権限情報を書き込んで記憶させる。
また、既に可変使用権限情報記憶エリア３ｂに使用権限情報が記憶されている場合には、更新する。
【００１９】
次に、図５に基づいて、ノード７の監視エリア８内に存在する情報記憶媒体が換わった場合の可変使用権限情報記憶エリア３ｂに記憶される使用権限情報の変化について説明する。
図５（ａ）に示す状態は、監視エリア８内に１つの情報記憶媒体２だけが存在する場合であり、この情報記憶媒体２の固定使用権限情報記憶エリア３ａと可変使用権限情報記憶エリア３ｂとに権限ＩＤのＸが記憶されている場合である。
ノード７は、情報記憶媒体２の固定使用権限情報記憶エリア３ａから権限ＩＤのＸを受信するものの他の情報記憶媒体を存在する信号が受信されないので、そのまま現状維持を継続する。
【００２０】
次に、図５（ｂ）に示す状態は、監視エリア８内に情報記憶媒体２の他に、別の情報記憶媒体１２が存在してきた場合である。
尚、個々では、権限ＩＤのＹを権限ＩＤのＸよりも上位の権限を有しているものとして説明する。
ノード７は、情報記憶媒体２の固定使用権限情報記憶エリア３ａに記憶されている権限ＩＤであるＸと、情報記憶媒体１２の固定使用権限情報記憶エリア３ａに記憶されている権限ＩＤであるＹとを読み取り、使用権限の異なる使用権限情報が記憶されている情報記憶媒体が監視エリア８内に存在していることを認識する。
そして、情報記憶媒体２の可変使用権限情報記憶エリア３ｂに対して、上位の権限ＩＤであるＹの書き込み処理を行う。
これにより、情報記憶媒体２を使用して、権限ＩＤであるＹを用いた装置の使用が可能となる。
【００２１】
次に、図５（ｃ）に示す状態は、監視エリア８内に情報記憶媒体２の他に、別の情報記憶媒体２０が存在してきた場合である。
ノード７は、２つの情報記憶媒体２，２０の固定使用権限情報記憶エリア３ａに記憶されている権限ＩＤであるＸとＸとを読み取る。
そして、情報記憶媒体２の可変使用権限情報記憶エリア３ｂに対して、権限ＩＤであるＸの書き込み処理を行う。
これにより、情報記憶媒体２を使用して、権限ＩＤであるＸを用いた装置の使用が可能となる。
【００２２】
次に、本発明の実施形態に係る使用権限情報更新システムの処理手順について説明する。
ノード７から無線信号が監視エリア８内に送信されて、監視エリア８内に存在する全ての情報記憶媒体の固定使用権限情報記憶エリア３ａに記憶されている使用権限情報の読み取りを行う。（ステップＳ１）
ノード７は読み取った全ての使用権限情報を比較する。（ステップＳ２）
そして、読み取った全ての使用権限情報が同じ場合には、監視エリア８内に存在する全ての情報記憶媒体に対して、その使用権限情報を送信する。（ステップＳ３）
また、読み取った全ての使用権限情報が異なる場合には、最上位となる使用権限情報を選択して、その使用権限情報を、監視エリア８内に存在する全ての情報記憶媒体に対して、その使用権限情報を送信する。（ステップＳ４）
【００２３】
情報記憶媒体は、ノード７から使用権限情報を受信した場合に、情報記憶媒体の可変使用権限情報記憶エリア３ｂに受信した使用権限情報を書き込んで記憶させる。（ステップＳ５）
その後、装置を使用する際に、情報記憶媒体の可変使用権限情報記憶エリア３ｂに記憶された使用権限情報を読み取らせて、認証処理を行う。（ステップＳ６）
以上の処理により、監視エリア８内に存在する者の使用権限に応じて、その場に存在する他の者の、装置の使用権限を切り替えられるようにしてある。
【００２４】
尚、上記情報記憶媒体としては、ＺｉｇＢｅｅ等の無線デバイスを用い、ＰＡＮ（Ｐｅｒｓｏｎａｌ  Ａｒｅａ  Ｎｅｔｗｏｒｋ）コーディネータと呼ばれるネットワーク管理ノードを中心とするスター型のネットワークを構成してもよい。
【図面の簡単な説明】
【００２５】
【図１】本発明の実施形態に係る使用権限情報更新システムの概要を説明する図である。
【図２】本発明の実施形態に係る使用権限情報更新システムの概要を説明する図である。
【図３】本発明の実施形態に係る使用権限情報更新システムのシステム構成図である。
【図４】本発明の実施形態に係る使用権限情報更新システムで使用する情報記憶媒体の記憶手段を説明する図である。
【図５】本発明の実施形態に係る使用権限情報更新システムに係り、ノードと情報記憶媒体との間での情報の読取、書込を説明する図である。
【図６】本発明の実施形態に係る使用権限情報更新システムの処理手順を示すフローチャート図である。
【符号の説明】
【００２６】
１  社員
２，１２，２０  情報記憶媒体
３  記憶手段
３ａ  固定使用権限情報記憶エリア
３ｂ  可変使用権限情報記憶エリア
４  ノード
５  装置
６  読取装置
７  ノード
８  監視エリア
１１  課長
１３，１５  無線送受信手段
１４  可変使用権限情報書換手段
１６  記憶手段
１７  使用権限情報送信指示手段
１８  使用権限情報書換判定手段
【図１】
2008234247.tif 000003
【図２】
2008234247.tif 000004
【図３】
2008234247.tif 000005
【図４】
2008234247.tif 000006
【図５】
2008234247.tif 000007
【図６】
2008234247.tif 000008